(57)【要約】【課題】人に不快感を生じさせることを抑制しつつ、調光制御を行うことが可能な照明制御装置およびそれを用いた照明制御システムを提供する。【解決手段】照明制御装置１０は、照明負荷１を調光する調光部２と、照度センサ３の測定照度値に対する目標照度値と照明負荷１の調光レベルとの組み合わせで構成される複数の照明シーンのデータを記憶する記憶部４と、調光部２を制御する制御部５と、を備えている。制御部５は、照度センサ３の測定照度値に基づいて、選択された照明シーンの照明環境を再現させる場合、照明負荷１の調光レベルを第１時間よりも長い時間をかけて変化させることで、照度センサ３の照度値を目標照度値に一致させる。制御部５は、照明シーンを切り替えて照明環境を再現させる場合、照明負荷１の調光レベルを第１時間よりも短い第２時間以内で変化させ、照度センサ３の照度値を目標照度値に一致させる。【選択図】図１
2017033713.tif 000002
【特許請求の範囲】
【請求項１】
照明負荷を調光する調光部と、照度センサの測定照度値に対する目標照度値と前記照明負荷の調光レベルとの組み合わせで構成される複数の照明シーンのデータを記憶する記憶部と、前記複数の照明シーンから任意に選択された１つの前記照明シーンのデータに対応した照明環境を再現するように前記調光部を制御する制御部と、を備え、
前記制御部は、前記照明負荷の調光レベルを前記照度センサの測定照度値に基づいて調光するように前記調光部を制御し、選択された前記照明シーンの照明環境を再現する場合、前記照明負荷の調光レベルを第１時間よりも長い時間をかけて変化させることで、前記照度センサの測定照度値を前記記憶部に記憶された目標照度値に一致させ、
さらに、前記制御部は、前記照明シーンを別の前記照明シーンへ切り替えて照明環境を再現する場合、前記照明負荷の調光レベルを前記第１時間よりも短い第２時間以内で変化させ、前記照度センサの測定照度値を前記記憶部の目標照度値に一致させることを特徴とする照明制御装置。
【請求項２】
前記制御部は、前記照明シーンを別の前記照明シーンへ切り替えて照明環境を再現する場合、前記照度センサの照度値を目標照度値に近づけるように、前記照明負荷の調光レベルを変化させる傾きを漸増させる漸増期間と、前記照明負荷の調光レベルを変化させる傾きを漸減させる漸減期間との少なくも一方の期間を有していることを特徴とする請求項１に記載の照明制御装置。
【請求項３】
前記制御部は、前記照明シーンを別の前記照明シーンへ切り替えて照明環境を再現する場合、前記照度センサの照度値を目標照度値に近づけるように、前記照明負荷の調光レベルを変化させる傾きを漸増させる漸増期間と、前記照明負荷の調光レベルを変化させる傾きを漸減させる漸減期間との両方の期間を有しており、
前記記憶部は、前記照明シーンの切り替え前の照度値と、前記照明シーンの切り替え後の目標照度値との間に基準照度値が記憶されており、
前記制御部は、前記照明シーンの切り替え前の照度値から基準照度値まで前記照明負荷の調光レベルを増加または減少させ、前記基準照度値から前記目標照度値まで前記照明負荷の調光レベルを減少または増加させるように前記調光部を制御することを特徴とする請求項２に記載の照明制御装置。
【請求項４】
前記制御部は、前記第２時間以内で前記照明負荷の調光レベルを制御させるように、前記照明負荷の調光レベルを変化させる傾きを、現在の照度値から基準照度値まで漸増させることを特徴とする請求項２に記載の照明制御装置。
【請求項５】
請求項１ないし請求項４のいずれか１項に記載の前記照明制御装置と、前記照明負荷と、前記照度センサと、を有していることを特徴とする照明制御システム。
【発明の詳細な説明】
【技術分野】
【０００１】
本発明は、照明制御装置およびそれを用いた照明制御システムに関し、特に、照度センサの検出値に基づいて照明負荷を調光制御する照明制御装置およびそれを用いた照明制御システムに関する。
【背景技術】
【０００２】
従来、明るさセンサと、フィードバック制御手段と、記憶部と、を備えた照明制御装置が知られている（たとえば、特許文献１を参照）。
【０００３】
特許文献１の照明制御装置では、明るさセンサは、照明負荷の被照射面からの反射光を検出する。フィードバック制御手段は、明るさセンサにより検出された検出値があらかじめ設定された目標値と一致するように、照明負荷に調光信号を送出してフィードバック制御する。記憶部は、フィードバック制御の目標値を含む設定シーン情報を記憶している。
【先行技術文献】
【特許文献】
【０００４】
【特許文献１】特開２００７−３５４２０号公報
【発明の概要】
【発明が解決しようとする課題】
【０００５】
ところで、照明制御装置では、調光制御によって、人に不快感を生じさせる場合もあり、特許文献１の照明制御装置の構成だけでは十分ではなく、更なる改良が求められている。
【０００６】
本発明の目的は、人に不快感を生じさせることを抑制しつつ、調光制御を行うことが可能な照明制御装置およびそれを用いた照明制御システムを提供することにある。
【課題を解決するための手段】
【０００７】
本発明の照明制御装置は、調光部と、記憶部と、制御部と、を備えている。上記調光部は、照明負荷を調光する。上記記憶部は、照度センサの測定照度値に対する目標照度値と上記照明負荷の調光レベルとの組み合わせで構成される複数の照明シーンのデータを記憶する。上記制御部は、上記複数の照明シーンから任意に選択された１つの上記照明シーンのデータに対応した照明環境を再現するように上記調光部を制御する。上記制御部は、上記照明負荷の調光レベルを上記照度センサの測定照度値に基づいて調光するように上記調光部を制御し、選択された上記照明シーンの照明環境を再現する場合、上記照度センサの測定照度値を上記記憶部に記憶された目標照度値に一致させる。上記制御部は、上記照明負荷の調光レベルを第１時間よりも長い時間をかけて変化させることで、制御する。上記制御部は、上記照明シーンを別の上記照明シーンへ切り替えて照明環境を再現させる場合、上記照明負荷の調光レベルを上記第１時間よりも短い第２時間以内で変化させ、上記照度センサの測定照度値を上記記憶部の目標照度値に一致させることを特徴とする。
【０００８】
本発明の照明制御システムは、上記照明制御装置と、上記照明負荷と、上記照度センサと、を有していることを特徴とする。
【発明の効果】
【０００９】
本発明の照明制御装置は、人に不快感を生じさせることを抑制しつつ、調光制御を行うことが可能になる、という効果がある。
【００１０】
本発明の照明制御システムは、人に不快感を生じさせることを抑制しつつ、調光制御を行うことが可能な照明制御装置を備えた構成とすることができる、という効果がある。
【図面の簡単な説明】
【００１１】
【図１】図１は、実施形態に係る照明制御システムを示すブロック図である。
【図２】図２は、実施形態に係る照明制御システムの照明負荷を示すブロック図である。
【図３】図３は、実施形態における調光制御を説明する説明図である。
【図４】図４は、実施形態における別の調光制御を説明する説明図である。
【図５】図５は、実施形態の照明制御装置に記憶されているデータを示す図表である。
【図６】図６は、実施形態における他の調光制御を説明する説明図である。
【図７】図７は、実施形態における更に別の調光制御を説明する説明図である。
【図８】図８は、実施形態における更に他の調光制御を説明する説明図である。
【発明を実施するための形態】
【００１２】
（実施形態１）
以下では、本実施形態の照明制御装置１０を備えた照明制御システム２０を、図１ないし図８に基づいて説明する。図中においては、同じ部材に対し、同じ符号を付して重複する説明を省略する。以下の説明において、本実施形態を構成する各要素は、複数の要素を一の部材で構成して一の部材で複数の要素を兼用する態様としてもよいし、一の部材の機能を複数の部材で分担して実現してもよい。
【００１３】
本実施形態の照明制御装置１０は、図１および図２に示すように、調光部２と、記憶部４と、制御部５と、を備えている。調光部２は、照明負荷１を調光する。記憶部４は、照度センサ３の測定照度値に対する目標照度値と照明負荷１の調光レベルとの組み合わせで構成される複数の照明シーンのデータを記憶する。制御部５は、複数の照明シーンから任意に選択された１つの照明シーンのデータに対応した照明環境を再現するように調光部２を制御する。
【００１４】
制御部５は、照明負荷１の調光レベルを照度センサ３の測定照度値に基づいて調光制きるように調光部２を制御し、選択された照明シーンの照明環境を再現する場合、照度センサ３の測定照度値を記憶部４に記憶された目標照度値に一致させる。制御部５は、照明負荷１の調光レベルを第１時間τ１よりも長い時間をかけて変化させることで、制御する。
【００１５】
図３Ａは、複数の照度センサ３を用いる場合において、第１照度センサ３ａの測定照度値と時間との関係を示している。図３Ａでは、第１時間τ１よりも長い時間ｔ１で、照度センサ３の測定照度値と、記憶部４に記憶された目標照度値とを一致させる例を示している。図３Ｂは、第２照度センサ３ｂの測定照度値と時間との関係を示している。図３Ｂでは、第１時間τ１よりも長い時間ｔ２で、照度センサ３の測定照度値と、記憶部４に記憶された目標照度値とを一致させる例を示している。
【００１６】
制御部５は、照明シーンを別の照明シーンへ切り替えて照明環境を再現させる場合、照明負荷１の調光レベルを第１時間τ１よりも短い第２時間τ２以内で変化させ、照度センサ３の測定照度値を記憶部４に記憶された目標照度値に一致させる。
【００１７】
図４Ａは、図３Ａと同様に、第１照度センサ３ａの測定照度値と時間との関係を示している。図４Ａでは、第１時間τ１よりも短い第２時間τ２以内の時間ｔ３で、照度センサ３の測定照度値と、記憶部４に記憶された目標照度値とを一致させる例を示している。図４Ｂは、図３Ｂと同様に、第２照度センサ３ｂの測定照度値と時間との関係を示している。図４Ｂでは、第１時間τ１よりも短い第２時間τ２以内の時間ｔ４で、照度センサ３の測定照度値と、記憶部４に記憶された目標照度値とを一致させる例を示している。
【００１８】
ここで、一致とは、照度センサ３の測定照度値と、目標照度値とが完全に一致する場合だけに限られず、照度センサ３の測定照度値が、目標照度値から一定の範囲内に入る場合も含まれる。
【００１９】
本実施形態の照明制御装置１０は、第１時間τ１よりも長い時間での調光制御と、第１時間τ１よりも短い第２時間τ２以内での調光制御とを有することで、人に不快感を生じさせることを抑制しつつ、調光制御することが可能となる。
【００２０】
以下では、本実施形態に係る照明制御システム２０の具体的な構成について説明する。
【００２１】
照明制御システム２０は、図１に示すように、照明制御装置１０と、照明負荷１と、照度センサ３と、を有している。
【００２２】
照明制御システム２０は、複数の照明負荷１と、複数の照度センサ３とが、１台の照明制御装置１０に接続されている。照明制御システム２０は、１台の照明負荷１と、１台の照度センサ３とが、１台の照明制御装置１０に接続されていてもよい。複数の照明負荷１と複数の照度センサ３の数は、異なっていてもよいし、同数でもよい。複数の照明負荷１として、第１照明負荷１ａと、第２照明負荷１ｂと、第３照明負荷１ｃの３つが設けられている。複数の照度センサ３として、第１照度センサ３ａと、第２照度センサ３ｂの２つが設けられている。第１照明負荷１ａは、たとえば、リビングルームに設けられたシーリングライトで、第２照明負荷１ｂは、リビングルームに設けられたブラケットタイプの器具で、第３照明負荷１ｃは、ダイニングルームに設けられたペンダントライトとすることができる。第１照度センサ３ａは、たとえば、リビングルームに設けられ、第２照度センサ３ｂは、ダイニングルームに設けることが好ましい。
【００２３】
照明負荷１は、たとえば、図２に示すように、光源となるＬＥＤモジュール１１と、点灯回路部１２と、電源回路部１３と、点灯制御部１４と、を備えたＬＥＤ照明器具を用いることができる。ＬＥＤモジュール１１は、複数個の白色発光ダイオードを電気的に直列接続させて構成されている。電源回路部１３は、外部の交流電源８から供給される交流電圧を、直流電圧に変換するように構成されている。電源回路部１３は、たとえば、入力フィルタ、全波整流器、力率改善回路などで構成される。力率改善回路は、昇圧チョッパ回路を用いて構成することができる。点灯回路部１２は、電源回路部１３から出力される直流電圧を、ＬＥＤモジュール１１に適した直流電圧に降圧する。点灯回路部１２は、たとえば、降圧チョッパ回路のようなスイッチング電源回路で構成させることができる。点灯制御部１４は、調光部２からの調光信号に基づいて、調光信号における調光レベルでＬＥＤモジュール１１を点灯させるように、点灯回路部１２を制御する。点灯制御部１４は、たとえば、点灯回路部１２を構成する半導体スイッチング素子のオンデューティを制御することで、調光レベルに対応した電流をＬＥＤモジュール１１に流すことができるように構成されている。照明負荷１は、ＬＥＤ照明器具だけに限られず、たとえば、有機エレクトロルミネッセンス素子や蛍光ランプを光源とする構成であってもよい。照明制御システム２０では、複数の照明負荷１を用いる場合、全てが同じ構成の照明負荷１であってもよいし、異なる構成の照明負荷１であってもよい。
【００２４】
照度センサ３は、光電変換素子と、Ａ／Ｄ変換回路と、を備えた構成とすることができる。光電変換素子は、フォトダイオード、フォトトランジスタや太陽電池などを用いて構成することができる。Ａ／Ｄ変換回路は、光電変換素子のアナログ出力を測定照度値に対応するデジタル出力に変換するように構成されている。照度センサ３は、たとえば、建造物の天井に埋め込んで配設される。照度センサ３は、照明負荷１の被照射面からの反射光を測定できるように設けられる。照度センサ３は、測定照度値に対応したセンサ信号を、制御部５に送信できるように構成されている。照度センサ３は、制御部５との間で、たとえば、シリアル通信ができるように構成されていればよい。照度センサ３は、光電変換素子やＡ／Ｄ変換回路に給電する電源回路を内部に備えていてもよいし、照明制御装置１０から給電されるように構成されていてもよい。
【００２５】
照明制御装置１０は、調光部２と記憶部４と制御部５とに加え、電源部６と、操作入力部７と、を備えられている。
【００２６】
調光部２は、複数の照明負荷１それぞれと電気的に接続されている。調光部２は、制御部５からの制御信号に基づいて、調光レベルに対応した調光信号を生成する。調光部２は、調光信号を複数の照明負荷１それぞれに送信する。調光部２は、たとえば、ＣＰＵ(Central Processing Unit)などを用いたマイクロコンピュータを備えている。調光部２は、適宜のプログラムに基づいて、駆動できるように構成されている。調光信号は、調光レベルをオンデューティ比に対応させたＰＷＭ(pulse width modulation)信号で構成させることができる。調光レベルは、たとえば、照明負荷１の定格点灯時を１００％としたときの光出力の比とすればよい。
【００２７】
記憶部４は、照明空間全体の照明環境の明るさを照明シーンに合わせて制御するため、照明シーンのデータが予め記憶されている。照明シーンとしては、たとえば、照明負荷１の調光レベルが比較的に高い普段シーン、食事に適した照明環境とする食事シーン、くつろぎ感が得られるように照明環境を制御したくつろぎシーンなどが挙げられる。照明シーンのデータは、複数の照明シーンを区別するためのシーン番号と、個々の照明シーンごとに定められる照明負荷１の調光レベルと、照明シーンごとに定められる照明負荷１の照度の目標値となる目標照度値と、を含んでいる。記憶部４は、照明シーンのデータに加え、複数の照明負荷１や複数の照度センサ３を区別するアドレスなどを記憶させていてもよい。記憶部４は、フラッシュメモリなどの電気的に書き換え可能な不揮発性の半導体メモリで構成させることができる。
【００２８】
記憶部４では、図５に示すように、シーン番号ごとに、複数の照明負荷１それぞれの調光レベルと、複数の照度センサ３それぞれの目標照度値とが対応するデータテーブルで記憶されている。図５では、シーン番号１、シーン番号２およびシーン番号３の各照明シーンに対応して、第１照明負荷１ａ、第２照明負荷１ｂおよび第３照明負荷１ｃそれぞれの調光レベルが記憶されている。図５では、シーン番号１、シーン番号２およびシーン番号３の各照明シーンに対応して、第１照度センサ３ａおよび第２照度センサ３ｂそれぞれの目標照度値が記憶されている。照明制御装置１０では、シーン番号１として、普段シーンの照明環境を設定している。照明制御装置１０は、シーン番号２として、食事シーンの照明環境を設定している。照明制御装置１０は、シーン番号３として、くつろぎシーンの照明環境を設定している。
【００２９】
シーン番号１では、たとえば、第１照明負荷１ａの調光レベルを、１００％の光出力とし、第２照明負荷１ｂの調光レベルを９０％の光出力とし、第３照明負荷１ｃの調光レベルを１００％の光出力としている。シーン番号１では、第１照度センサ３ａの目標照度値を８００ルクスに、第２照度センサ３ｂの目標照度値を７５０ルクスに設定している。シーン番号２では、たとえば、第１照明負荷１ａの調光レベルを６０％の光出力とし、第２照明負荷１ｂの調光レベルを６０％の光出力とし、第３照明負荷１ｃの調光レベルを８０％の光出力としている。シーン番号２では、たとえば、第１照度センサ３ａの目標照度値を６００ルクスに、第２照度センサ３ｂの目標照度値を７００ルクスに設定している。シーン番号３では、たとえば、第１照明負荷１ａの調光レベルを３０％の光出力とし、第２照明負荷１ｂの調光レベルを５０％の光出力とし、第３照明負荷１ｃの調光レベルを３０％の光出力としている。シーン番号３では、第１照度センサ３ａの目標照度値を４５０ルクスに、第２照度センサ３ｂの目標照度値を４８０ルクスに設定している。
【００３０】
照度センサ３の目標照度値は、各照明シーンにおいて、照明負荷１以外の外光がない状態での照度値を表している。外光には、たとえば、太陽光や道路灯、街灯からの光などが挙げられる。
【００３１】
制御部５は、センサ信号に含まれた測定照度値に基づいて、調光部２に指示する調光レベルを調整して照明負荷１の光出力を増減する。制御部５から調光レベルを受けた調光部２は、調光レベルに基づいた調光信号を照明負荷１に出力する。調光信号には、照明負荷１の点灯、消灯を制御する信号も含まれている。制御部５は、たとえば、ＣＰＵ(Central Processing Unit)などを用いたマイクロコンピュータにより構成することができる。制御部５は、適宜のプログラムに基づいて、駆動できるように構成されている。制御部５は、タイマ部を備えている。タイマ部は、時刻を計時する。
【００３２】
制御部５は、記憶部４に記憶されている何れかのシーン番号の照明シーンを再現している場合、照度センサ３の測定照度値と、照明シーンの目標照度値と、を比較する。制御部５は、測定照度値と目標照度値との差を減らすため、照明負荷１に指示する調光レベルを調節させるように調光部２を制御する。制御部５は、操作入力部７からの操作信号で選択された照明シーンのシーン番号に対応する照明シーンのデータを記憶部４から読み出し、照明負荷１に対応した調光レベルの調光信号を出力するように調光部２を制御する。すなわち、制御部５は、照度センサ３の測定照度値に基づいて、調光部２を通じて照明負荷１を調光制御できるように構成されている。
【００３３】
電源部６は、外部の交流電源８から供給される交流電力を直流電力に変換し、変換した直流電力を出力する。電源部６は、調光部２、記憶部４、制御部５、操作入力部７などに電力を供給できるように構成されている。電源部６は、たとえば、ＡＣ−ＤＣコンバータを用いて構成することができる。
【００３４】
操作入力部７は、たとえば、複数の押釦スイッチと、複数のフェーダと、を備えた構成とすることができる。操作入力部７は、複数の押釦スイッチが押操作された場合、押釦スイッチに対応する操作信号を制御部５に出力する。操作入力部７は、押釦スイッチの押し操作により、ユーザが選択した照明シーンの操作信号を出力できるように構成されている。フェーダは、スライド操作可能な操作つまみを有する入力デバイスである。操作入力部７は、フェーダの操作つまみの位置に対応した操作信号を出力する。操作入力部７は、フェーダがスライド操作されることにより、照明負荷１の調光レベルに対応する操作信号を出力することができるように構成されている。
【００３５】
照明制御装置１０では、操作入力部７において、照明負荷１の点灯をオンまたはオフに制御する押釦スイッチや照明負荷１からの照明光を調光制御するフェーダが操作されると、調光部２から照明負荷１にＰＷＭ信号を送信させる。
【００３６】
照明制御装置１０では、操作入力部７において、照度センサ３の測定照度値が予め記憶された照度値と一致するように、照明負荷１を制御させる押釦スイッチが押し操作されると、照度センサ３の測定照度値に対応するセンサ信号を制御部５が受け取る。照明制御装置１０は、照度センサ３の照度値が記憶部４に記憶された目標とする照度値に一致するように、照明負荷１の調光制御を行う。
【００３７】
照明制御装置１０は、操作入力部７において照明シーンを切り替える押釦スイッチが押し操作され、記憶部４に記憶された照明負荷１の調光レベルと、照度センサ３の測定照度値に対する目標照度値とに基づいて、照明負荷１が調光制御するように構成されている。照明制御装置１０は、操作入力部７において照明シーンを切り替える押釦スイッチが押し操作されると、記憶部４に設定された照明シーンの調光レベルになるように、照明負荷１が調光制御される構成だけとすることもできる。
【００３８】
以下では、本実施形態の照明制御装置１０を用いた照明制御システム２０の動作について説明する。
【００３９】
照明制御装置１０は、選択された照明シーンの照明環境を再現させる場合、たとえば、照度センサ３の測定照度値が目標照度値を超えていれば、制御部５が目標照度値に一致したと判断するまで、照明負荷１の調光レベルを減少させるように制御する。本実施形態の照明制御装置１０では、シーン番号２の食事シーンの照明環境を再現させる場合、図３Ａで示すように、たとえば、外光の影響で第１照度センサ３ａの測定照度値が目標照度値６００ルクスよりも大きな８００ルクスとなる場合がある。照明制御装置１０は、第１照度センサ３ａの測定照度値が目標照度値６００ルクスと一致するまで徐々に第１照明負荷１ａないし第３照明負荷１ｃの調光レベルを低下させる。図３では、操作入力部７において、照度センサ３を機能させる押釦スイッチの押し操作された時から照度センサ３の測定照度値が目標照度値になるまでに、第１時間τ１より長い時間で照明負荷１が制御されている。
【００４０】
照明制御装置１０は、シーン番号２の食事シーンの照明環境を再現させる場合、図３Ｂで示すように、第２照度センサ３ｂの測定照度値が８５０ルクスから目標照度値７００ルクスに一致するまで第１照明負荷１ａないし第３照明負荷１ｃの調光レベルを低下させる。照明制御装置１０では、照度センサ３の測定照度値と、目標照度値とを一致するように調光制御することで、選択した食事シーンの照明環境を再現させることができる。照明制御装置１０は、選択された照明シーンの照明環境を再現させる場合、照度センサ３の測定照度値が目標照度値に一致していなければ、制御部５が目標照度値に一致したと判断するまで、調光部２が照明負荷１の調光レベルを増加させるように制御する。
【００４１】
照明制御装置１０は、照明負荷１の調光レベルを照度センサ３の測定照度値に基づいて制御させ、選択された照明シーンの照明環境を再現させる場合、照度センサ３の測定照度値と、目標照度値とを自動的に一致するように照明負荷１を調光制御している。
【００４２】
本実施形態と比較する照明制御装置においては、単純に、照度センサの測定照度値と、目標照度値とを自動的に一致するように照明負荷を調光制御している場合、人が明かりの変化に気が付くと人に不快感を生じさせる場合がある。
【００４３】
本実施形態の照明制御装置１０では、照明負荷１の調光レベルを照度センサ３の測定照度値に基づいて制御させ、照明環境を再現させる場合、照明負荷１の調光レベルを第１時間τ１よりも長い時間で、照度センサ３の測定照度値を目標照度値に一致させている。図３Ａでは、第１照度センサ３ａの測定照度値が第１時間τ１よりも長い時間ｔ１で目標照度値と一致するように照明負荷１が制御されている。同様に、図３Ｂでは、第２照度センサ３ｂの測定照度値が第１時間τ１よりも長い時間ｔ２で目標照度値と一致するように照明負荷１が制御されている。第１時間τ１よりも長い時間ｔ１は、第１照度センサ３ａに対応して設定されている。第１時間τ１よりも長い時間ｔ２は、第２照度センサ３ｂに対応して設定されている。時間ｔ１や時間ｔ２は、測定照度値と目標照度値との差分とが零になるまでに調光制御に要する時間が第１時間τ１よりも大きければ適宜に設定することができる。第１時刻τ１は、日中や夜間などで異なる場合もあるものの、たとえば、５分以内であれば、人に不快感を生じさせることを抑制しつつ調光制御させることができる。
【００４４】
ところで、照明制御装置１０では、照明シーンを別の照明シーンへ切り替えることで、操作を行った人の意図した照明シーンへ切り替えて照明環境を再現させ場合、比較的に短時間で照明負荷１の調光レベルを制御している。
【００４５】
本実施形態の照明制御装置１０では、シーン番号３のくつろぎシーンからシーン番号２の食事シーンへ切り替えて照明環境を再現させる場合、図４Ａで示すように、第１照度センサ３ａの測定照度値が目標照度値と一致するまで照明負荷１の調光レベルを増加させる。図４Ａでは、第１照明負荷１ａないし第３照明負荷１ｃの調光レベルを増加させて、第１照度センサ３ａの測定照度値が４６０ルクスから目標照度値６００ルクスと一致させるまでの時間を、第１時間τ１よりも短い第２時間τ２内の時間ｔ３に設定している。
【００４６】
照明制御装置１０では、図４Ｂで示すように、シーン番号３のくつろぎシーンからシーン番号２の食事シーンへ切り替えて照明環境を再現させる場合、第２照度センサ３ｂの測定照度値が目標照度値と一致するまで照明負荷１の調光レベルを増加させる。図４Ｂでは、第１照明負荷１ａないし第３照明負荷１ｃの調光レベルを増加させて、第１照度センサ３ａの測定照度値が５２０ルクスから目標照度値７００ルクスと一致させるまでの時間を、第１時間τ１よりも短い第２時間τ２内の時間ｔ４にしている。時間ｔ３や時間ｔ４は、選択された照明シーンに切り替える押釦スイッチが押操作された時から、測定照度値と目標照度値との差分とが零になるまでに調光制御に要する時間が、第１時間τ１よりも短い第２時間τ２内であれば適宜に設定することができる。
【００４７】
第２時間τ２は、操作を行った人の意図した照明シーンへの切り替えを行う場合であり、選択した照明シーンへの切り替えに時間が長くかかり過ぎると、操作を行った人に不快感を生じさせるおそれがある。第２時間τ２は、日中や夜間、国や地域などによっても異なるが、たとえば、概ね２秒以内であれば、人に不快感を生じさせることを抑制しつつ調光制御させることができる。
【００４８】
すなわち、照明制御装置１０は、照明負荷１の調光レベルを照度センサ３の測定照度値に基づいて自動的に制御させて照明環境を再現させる場合と、人が意図して照明シーンに切り替えて照明環境を再現させる場合とで、調光制御に要する時間を異ならせている。本実施形態の照明制御装置１０は、人に気づかせないように照度センサ３による目標照度値へ自動的に調光制御させる場合、比較的に長い第１時間τ１でゆっくり照明負荷１を調光制御する。照明制御装置１０は、人が意図した照明シーンに切り替える場合、第１時間τ１よりも短い第２時間τ２以内で素早く照明負荷１を調光制御する。
【００４９】
以下では、本実施形態の照明制御装置１０の変形例について、説明する。
【００５０】
変形例の照明制御装置１０では、制御部５は、照明シーンを別の照明シーンへ切り替えて照明環境を再現する場合、漸増期間と、漸減期間との少なくも一方の期間を有している。漸増期間は、照度センサの３の照度値を目標照度値に近づけるように、照明負荷１の調光レベルを変化させる傾きを漸増させる。漸減期間は、照度センサの３の照度値を目標照度値に近づけるように、照明負荷１の調光レベルを変化させる傾きを漸減させることが好ましい。
【００５１】
制御部５は、照明シーンを別の照明シーンへ切り替えて照明環境を再現する場合、漸増期間と、漸減期間との少なくも一方の期間を有していることで、より短時間で精度よく、調光制御を行うことが可能となる。
【００５２】
照明制御装置１０では、たとえば、シーン番号３のくつろぎシーンからシーン番号２の食事シーンに照明シーンを切り替える場合、切り替え前の比較的に低い照度値から切り替え後の比較的に高い照度値となるように照明負荷１へ調光制御が行われる場合がある。照明制御装置１０では、たとえば、図４Ａや図４Ｂに示すように、比較的に低い照度値から比較的に高い照度値へ照明負荷１の調光制御された後、照度センサ３が目標照度値となるように、照明負荷１の調光レベルが制御される。
【００５３】
ところで、照明制御装置１０では、比較的に低い照度値から比較的に高い照度値が得られるように照明負荷１を記憶部４に記憶された調光レベルにさせた後、照度センサ３が目標照度値となるように調光制御させる場合がある。照明制御装置１０では、照明シーンを切り替える場合、外光の影響を受けて、照度センサ３で測定される照度値が一度、目標照度値より高くなるおそれもある。図４には、測定照度値が目標照度値よりも高くなる部分をＬ１で例示している。
【００５４】
照明制御装置１０は、目標照度値よりも測定照度値が高くなる場合、その後、照度センサ３の測定照度値に基づいて自動的に調光制御され、測定照度値が目標照度値と一致するまでの間、照明負荷１に余分な消費電力を消費させるおそれがある。照明制御装置１０では、自動的に調光制御させる場合、測定照度値が目標照度値と一致するまでの時間を、人に不快感を生じさせない程度の時間τ１よりも長い時間で制御させるため、目標照度値を超えた照明負荷１の余分な消費電力量が大きくなる場合もある。
【００５５】
さらに、照明制御装置１０では、１つの照明負荷１に１つの照度センサ３が対応して設けられ、目標照度値と調光レベルとの関係が予め定まっている場合、照明負荷１を目標照度値に合わせて調光制御することが比較的に簡単に行うことができる。
【００５６】
しかしながら、照明制御装置１０では、複数の照明負荷１と、複数の照度センサ３とが接続されている場合、どのような照明負荷１が設置されているか、また、照度センサ３がどのような位置に配置されているか分からない場合もある。照明制御装置１０では、どのような照明負荷１が設置されるか、どのような位置に照度センサ３が配置されるか分からない場合、複数の照明負荷１のうち、どの照明負荷１の光出力を何％で調光制御すればよいかの設定を行うことが難しい傾向にある。
【００５７】
また、照明制御装置１０では、照明負荷１の調光に対し調光レベルの増減幅が大きすぎる場合、照度センサの測定照度値が目標照度値に一致するように調光制御することが難しくなる傾向にある。照明制御装置１０では、図４Ａに示すように、照明負荷１の調光に対し調光レベルの増減幅が大きすぎる場合、目標照度値に対し照明負荷１から照射される光にちらつきが発生するおそれもある。
【００５８】
変形例の照明制御装置１０では、制御部５は、照明シーンを別の照明シーンへ切り替えて照明環境を再現する場合、漸増期間と、漸減期間との両方の期間を有している。漸増期間は、照度センサ３の照度値を目標照度値に近づけるように、照明負荷１の調光レベルを変化させる傾きを漸増させる。漸減期間は、照度センサ３の照度値を目標照度値に近づけるように、照明負荷１の調光レベルを変化させる傾きを漸減させる。記憶部４は、照明シーンの切り替え前の照度値と、照明シーンの切り替え後の目標照度値との間に基準照度値が記憶されている。制御部５は、照明シーンの切り替え前の照度値から基準照度値まで照明負荷の調光レベルを増加または減少させ、基準照度値から目標照度値まで照明負荷１の調光レベルを減少または増加させるように調光部２を制御することが好ましい。
【００５９】
変形例の照明制御装置１０は、測定照度値と目標照度値とを比較して、調光レベルを変化させる傾きを設定し、目標照度値を超えるまでは、調光レベルの変化させる傾きを漸増させて照明負荷１を調光制御している。照明制御装置１０は、測定照度値と目標照度値とを比較して、調光レベルを変化させる傾きを設定し、基準照度値を超えると、調光レベルの変化させる傾きを漸減させて照明負荷１を調光制御している。
【００６０】
変形例の照明制御装置１０は、照明シーンの切り替え時に照度センサ３が目標照度値を超えないように、漸増期間で調光制御を行うことで、自動的に調光制御させる場合に生ずる照明負荷１からの光のちらつきを抑制することができる。
【００６１】
さらに、変形例の照明制御装置１０では、照明シーンの切り替え時に照度センサ３が目標照度値を超えないように、漸増期間で調光制御を行うことで、照明負荷１に余分な消費電力を消費させることを抑制することが可能となる。
【００６２】
すなわち、変形例の照明制御装置１０では、照明シーンの切り替え時において、照明シーンの切り替え操作をしてから切り替えまでに要する時間の遅れや照明負荷１からの光のちらつきで、人に不快感を生じさせることを低減させることが可能となる。
【００６３】
変形例の照明制御装置１０は、図６Ａに示すように、目標照度値よりも照度値が小さい基準照度値を設定した上で、最初は調光レベルを変化させる傾きを小さくし、徐々に傾きを大きくする調光制御を行っている。図６Ａでは、第１時間τ１よりも短い第２時間τ２以内の時間ｔ７で、第１照度センサ３ａの測定照度値と、記憶部４に記憶された目標照度値とを一致させている。図６Ｂでは、第１時間τ１よりも短い第２時間τ２以内の時間ｔ８で、第２照度センサ３ｂの測定照度値と、記憶部４に記憶された目標照度値とを一致させている。照明制御装置１０は、照度センサ３からの照度値が基準照度値を超えたら目標値を超えないように傾きを徐々に小さくする制御を行うことができる。図６Ａでは、時間ｔ６で、第１照度センサ３ａの測定照度値が基準照度値と一致している。照明制御装置１０では、時間ｔ６において、調光レベルの漸増期間と漸減期間とを切り替えている。照明制御装置１０では、各照明負荷１の調光レベルを変化させる傾きが分らない場合でも、調光制御することが可能となる。
【００６４】
基準照度値は、変更前の照明シーンにおける目標照度値と、変更後の照明シーンにおける目標照度値との間に設定することができる。基準照度値は、たとえば、変更前の照明シーンにおける目標照度値と、変更後の照明シーンにおける目標照度値との中間の値とすることができる。基準照度値は、変更前の照明シーンにおける目標照度値と、変更後の照明シーンにおける目標照度値との中間の値とする場合だけに限られない。基準照度値は、変更前の照明シーンにおける目標照度値と比較して、変更後の照明シーンにおける目標照度値に近くに設定されてもよい。基準照度値は、変更後の照明シーンにおける目標照度値に近ければ、基準照度値が目標照度値から遠くに設定されている場合と比較して、より短時間で照明環境を目標照度値に一致させることが可能となる。
【００６５】
以下では、変形例の照明制御装置１０における調光レベルを変化させる傾きについて説明する。
【００６６】
照明制御装置１０では、調光レベルを変化させる傾きを設定するため、予め調光レベルが０から１００までの切り替えを第２時間τ２以内に行うことが可能な最小の漸化式の傾きが設定されている。
【００６７】
照明制御装置１０では、照明シーンの切り替えに要する時間を人が不快と感じにくい第２時間τ２以内における調光回数は、第２時間τ２を、調光部２が照明負荷１を調光制御に要する１回当たりに必要な調光時間で除算すれば求まる。
【００６８】
また、照明制御装置１０では、斬化式の傾きの最小値ａmin を、次の（式１）または（式２）で表すことができる。
【００６９】
【数１】
2017033713.tif 000003
【００７０】
（式１）では、徐々に調光レベルを変化させる傾きを大きくする漸化式を示している。
【００７１】
【数２】
2017033713.tif 000004
【００７２】
（式２）では、徐々に調光レベルを変化させる傾きを小さくする漸化式を示している。
【００７３】
ｃｍ≧ｂの場合は、傾きをｂ−ｃｍ＞０になる最後の値とすることができる。
【００７４】
照明制御装置１０では、たとえば、第１照明負荷１ａの変更後の調光レベル１００％から調光前の調光レベル２０％までの調光レベルの差が８０％とする。照明制御装置１０では、たとえば、第２照明負荷１ｂの変更後の調光レベル１００％から調光前の調光レベル４０％までの調光レベルの差が６０％とする。照明制御装置１０では、たとえば、第２照明負荷１ｂの変更後の調光レベル１００％から調光前の調光レベル７０％までの調光レベルの差が３０％とする。
【００７５】
照明制御装置１０では、照明負荷１それぞれの調光レベルの差から斬化式の傾きを決定する。照明制御装置１０は、たとえば、調光レベルの差の５％を傾きａ値とし、調光レベルの差の２．５％を傾きｂ−ｃｍ値とすれば、第１照明負荷１ａでは、傾きａ値を４、傾きｃ値を２とすることができる。第２照明負荷１ｂでは、傾きａ値を３、傾きｃ値を１．５とすることができる。第３照明負荷１ｃでは、傾きａ値を３、傾きｃ値を１．５とすることができる。
【００７６】
次に、照明負荷１の基準照度値を決定する。基準照度値は、変更前の照明シーンと変更後の照明シーンの調光レベルの中間の値に設定する。第１照明負荷１ａでは、たとえば、変更前の照明シーンの調光レベルが２０％で、変更後の照明シーンの調光レベルが１００％の場合、基準照度値の調光レベルを６０％に設定することができる。第２照明負荷１ｂでは、たとえば、変更前の照明シーンの調光レベルが４０％で、変更後の照明シーンの調光レベルが１００％の場合、基準照度値の調光レベルを７０％に設定することができる。第３照明負荷１ｃでは、たとえば、変更前の照明シーンの調光レベルが７０％で、変更後の照明シーンの調光レベルが１００％の場合、基準照度値の調光レベルを８５％とすることができる。
【００７７】
照明制御装置１０では、基準照度値以上になるまで、調光レベルを変化させる傾きを徐々に大きくして照明負荷１の調光レベルを制御し、基準照度値以上になったら調光レベルを変化させる傾きを徐々に小さくして照明負荷１の調光レベルを制御する。
【００７８】
照明制御装置１０では、照明シーンを選択する押釦スイッチが押し操作された場合において、照度センサ３の測定照度値が目標照度値より高い場合、図７に示すように調光制御を行えばよい。図７では、第１時間τ１よりも短い第２時間τ２以内の時間ｔ１０で、照度センサ３の測定照度値と、記憶部４に記憶された目標照度値とを一致させている。図７では、時間ｔ９で、照度センサ３の測定照度値が基準照度値と一致している。照明制御装置１０では、時間ｔ９において、調光レベルの漸増期間と漸減期間とを切り替えている。
【００７９】
次に、調光レベルを変化させる傾きについて説明する。
【００８０】
照明制御装置１０では、たとえば、照明負荷１の調光を０から１００の各段階に制御できるように設定し、第２時間τ２を２秒と設定することができる。照明制御装置１０は、２秒以内で照明負荷１の調光を０から１００の各段階に制御できれば、どの階調でも第２時間τ２以内に調光制御を行うことが可能となる。図８Ａでは、第１時間τ１よりも短い第２時間τ２以内の時間ｔ１１で、第１照度センサ３ａの測定照度値と、記憶部４に記憶された目標照度値とを一致させている。図８Ｂでは、第１時間τ１よりも短い第２時間τ２以内の時間ｔ１１で、第２照度センサ３ｂの測定照度値と、記憶部４に記憶された目標照度値とを一致させている。
【００８１】
変形例の照明制御装置１０では、制御部５は、第２時間τ２以内で照明負荷１の調光レベルを制御させるように、照明負荷１の調光レベルを変化させる傾きを、現在の照度値から基準照度値まで漸増させることが好ましい。
【００８２】
照明制御装置１０では、（式３）や（式４）に基づいて、制御部５が調光レベルを変化させる傾きを設定することができる。
【００８３】
【数３】
2017033713.tif 000005
【００８４】
【数４】
2017033713.tif 000006
【００８５】
照明制御装置１０では、第２時間τ２が２秒であり、調光制御に要する１回当たりに必要な調光時間が０．１秒の場合、１回当たりの斬化式の傾きの最小値ａminは、０．４７６となる。照明制御装置１０は、斬化式のａの値を０．４７６以上に設定すれば、２秒以内で、目標とする照度値へ調光制御させることが可能となる。
【００８６】
照明制御装置１０では、照明負荷１の調光幅と照度センサ３の照度値との関係が分からない場合でも、目標照度値まで第２時間τ２内以内で達するように構成させることができる。照明制御装置１０は、最初、照明負荷１の調光レベルの変化させる傾きの漸増や漸減を、小さい値から徐々に大きい値になるように照明負荷１を制御する。照明制御装置１０は、照度センサ３の照度値が基準照度値を超えると、調光レベルの変化させる傾きの漸増や漸減を、小さくなるように照明負荷１を調光制御する。照明制御装置１０では、調光レベルを一定として調光制御する場合と比較して、より早く基準照度値の値を超えないように調光制御することが可能になる。
【符号の説明】
【００８７】
１  照明負荷
２  調光部
３  照度センサ
４  記憶部
５  制御部
１０  照明制御装置
２０  照明制御システム
【図１】
2017033713.tif 000007
【図２】
2017033713.tif 000008
【図３】
2017033713.tif 000009
【図４】
2017033713.tif 000010
【図５】
2017033713.tif 000011
【図６】
2017033713.tif 000012
【図７】
2017033713.tif 000013
【図８】
2017033713.tif 000014